(57)【要約】【課題】夜間に、確実に視認しうる梯子を提供する。【解決手段】ステップ21の端部がポール22に取付られている。ポール22の外側面に、光反射板23が回転自在に取付られている。ステップ21は、筒状をなしている。ポール22に、ステップ21の端部を貫通させた取付孔36が形成されている。光反射板23および取付孔36周縁部間にケース24が介在させられている。ケース24は、光反射板23を取り囲みかつポール22の端部中空部にはめ入れられた取付筒51を有している。【選択図】図２
2009179977.tif 000002
【特許請求の範囲】
【請求項１】
ステップの端部がポールに取付られており、ポールの外側面に、光反射板が回転自在に取付られている梯子。
【請求項２】
ステップが、筒状をなしており、ポールに、ステップの端部を貫通させた取付孔が形成されており、光反射板および取付孔周縁部間にケースが介在させられており、ケースが、光反射板を取り囲みかつポールの端部中空部にはめ入れられた取付筒を有している請求項１に記載の梯子。
【請求項３】
取付筒が、ポールの端部中空部に対し抜き差し自在である請求項２に記載の梯子。
【請求項４】
光反射板が、円板状をなしており、光反射板の外周面に、光反射板の中心を通る直線上に位置させられるように一対の係合凹部が形成されており、取付筒の内面に、両係合凹部にそれぞれはめ入れられた一対の係合凸部が設けられており、両係合凹部に係合凸部が係合離脱しうるように取付筒が弾性変形可能である請求項１〜３のいずれか１つに記載の梯子。
【請求項５】
光反射板の回転軸線が、ポールの長さ方向の交差する方向にのびており、同回転軸線を挟んでその両側のポールの端部中空部横断面積が大小に変化させられている請求項４に記載の梯子。
【請求項６】
取付筒の周縁部の少なくとも一部に、遮風壁が側方突出状に設けられており、遮風壁の頂部の高さが、光反射板の回転半径よりも大である請求項５に記載の梯子。
【発明の詳細な説明】
【技術分野】
【０００１】
この発明は、高所作業をする際に使用される梯子に関する。
【背景技術】
【０００２】
梯子は、車に積載されて作業場所を変更することが多々ある。その場合、車から落下するこも希にはある。運転手が車から梯子が落下したことに気付くと、落下した梯子を回収しなければならないが、とくに、夜間では、落下した梯子を探すことは容易ではない。そのために、梯子のポール外側面に光反射テープを貼り付けている例も知られているが、光反射テープは、一方向の光にだけしか反応しないため、捜索のために十分に機能しないことがある。
【発明の開示】
【発明が解決しようとする課題】
【０００３】
この発明の目的は、夜間に、梯子を確実に視認しうる梯子を提供することにある。
【課題を解決するための手段】
【０００４】
この発明による梯子は、ステップの端部がポールに取付られており、ポールの外側面に、光反射板が回転自在に取付られているものである。
【０００５】
この発明による梯子では、光反射板が回転すると、これを多方向から視認することができ、梯子を簡単に探し出すことができる。
【０００６】
さらに、ステップが、筒状をなしており、ポールに、ステップの端部を貫通させた取付孔が形成されており、光反射板および取付孔周縁部間にケースが介在させられており、ケースが、光反射板を取り囲みかつポールの端部中空部にはめ入れられた取付筒を有していると、ポールの取付孔は、通常、殆どの梯子に備わっているものであるから、これを利用して、光反射板を梯子に簡単に取付ることができる。
【０００７】
また、取付筒が、ポールの端部中空部に対し抜き差し自在であると、必要に応じて、光反射板を別の種類のものと交換することができる。
【０００８】
また、光反射板が、円板状をなしており、光反射板の外周面に、光反射板の中心を通る直線上に位置させられるように一対の係合凹部が形成されており、取付筒の内面に、両係合凹部にそれぞれはめ入れられた一対の係合凸部が設けられており、両係合凹部に係合凸部が係合離脱しうるように取付筒が弾性変形可能であると、ケース毎ではなく、光反射板だけを単独で交換することができる。
【０００９】
また、光反射板の回転軸線が、ポールの長さ方向の交差する方向にのびており、同回転軸線を挟んでその両側のポールの端部中空部横断面積が大小に変化させられていると、風圧を利用して、光反射板を効率よく回転させることができる。
【００１０】
また、取付筒の周縁部の少なくとも一部に、遮風壁が側方突出状に設けられており、遮風壁の頂部の高さが、光反射板の回転半径よりも大であると、梯子が他の物件と衝突した際等に、光反射板を損傷等をさせることを防止できる。
【発明の効果】
【００１１】
この発明によれば、夜間に、確実に視認しうる梯子が提供される。
【発明を実施するための最良の形態】
【００１２】
この発明の実施の形態を図面を参照しながらつぎに説明する。
【００１３】
図１を参照すると、車Ｃのルーフ上に積載された梯子が示されている。車Ｃの前進方向が矢印Ａで示されている。梯子は、２段伸縮式のもので、上下に重ね合わされた下段側梯子11および上段側梯子12よりなる。
【００１４】
下段側梯子11は、８段のステップと、これらステップ21の端部が取付けられているポール22とよりなる。最上段のステップ21と、下から３段のステップ21に当たるレベルに光反射板23がそれぞれケース24を介して取付られている。
【００１５】
図２に示すように、各ステップ21は、横断面略半球形状のアルミニウム押出型材製のもので、梯子上側に向けられている踏面側平坦壁31と、これの両縁部を連絡しかつ梯子下側に向けられている半円形状屈曲壁32とよりなる。
【００１６】
ポール22は、横断面略コ字状のアルミニウム押出型材製もので、一対の対向状前後壁33、34と、これら両壁33、34の縁部を連絡している側壁35とよりなる。側壁35には、ステップ21の外面輪郭と合致する内面をもつ取付孔35があけられている。
【００１７】
ステップ21の端部は、取付孔35にはめ入れられている。この状態で、ステップ21には、取付孔35を内外から挟み付けるバルジ加工37、38が施され（図４および図６）、これにより、ステップ21がポール22に固定されている。
【００１８】
光反射板23は、円板状のものである。光反射板23の外周面には、一対の係合凹部41が形成されている。両係合凹部41は、光反射板23の中心を通る直線上に位置させられている。
【００１９】
ケース24は、弾性プラスチックによって一体成形されたもので、ステップ21の端部中空部にはめ入れられている取付筒51と、取付筒51の外面端部に設けられているフランジ52とよりなる。
【００２０】
取付筒51は、ステップ21の内面と合致させられた外面をもちかつステップ21の平坦壁31および屈曲壁32と対応する平坦板53および屈曲板54よりなる。
【００２１】
取付筒51の平坦板53および屈曲板54には、これの軸線方向にのびた複数の易変形用スリット55が周方向に間隔をおいて形成されている。取付筒51外面の、各スリット55形成部分外面には嵌合凸部56が取付筒51外面上に不連続状に設けられている。嵌合凸部56は、内側のバルジ加工部37に生じた嵌合凹部57にはめ入れられている（図６）。
【００２２】
取付筒51内面のスリット55無し部には、一対の係合凸部58が対向状に設けられている。両係合凸部58は、両係合凹部41にはめ入れられている。これらの係合凹部41および係合凸部58を結ぶ直線が光反射板23の回転軸線Ｌである（図８）。この回転軸線Ｌを挟んでその上側のポール22の端部中空部横断面積がその下側の横断面積よりも大きく設定されている。
【００２３】
取付筒51の屈曲板54外面には、これにそって遮風壁61が側方突出状に設けられている。遮風壁61の凹部側は、車走行方向Ａの上流側に向けられている。遮風壁61の頂部の高さは、光反射板23の回転半径Ｒよりも大である（図４）。
【００２４】
梯子を積載した状態で、車Ｃが走行すると、そのときの風圧によって、光反射板23は、音を立てて勢いよく回転する。
【００２５】
必要に応じて、光反射板23を他の種類のものと交換する場合、ケース24をステップ21の端部中空部から抜き去り、別のケース24を差し込めばよい。また、図８および図９に示すように、図９の矢印Ｄの方向に取付筒51を押圧すると、図９の矢印Ｅの方向に取付筒51が変形して、取付筒51から光反射板23を取り外すことが可能である。
【図面の簡単な説明】
【００２６】
【図１】この発明による梯子の側面図である。
【図２】同梯子のステップおよびポールの分解斜視図である。
【図３】同梯子に取付けられた光反射板の側面図である。
【図４】図２３のIII−III線にそう断面図である。
【図５】同光反射板およびこれを梯子に取付けるためのケースの分解斜視図である。
【図６】図４の一部を拡大して示す断面図である。
【図７】同光反射板の取付構造を示す断面図である。
【図８】同光反射板の取付状態を示す断面図である。
【図９】同光反射板の脱着状態を示す断面図である。
【符号の説明】
【００２７】
21  ステップ
22  ポール
23  光反射板
24  ケース
36  取付孔
51  取付筒
【図１】
2009179977.tif 000003
【図２】
2009179977.tif 000004
【図３】
2009179977.tif 000005
【図４】
2009179977.tif 000006
【図５】
2009179977.tif 000007
【図６】
2009179977.tif 000008
【図７】
2009179977.tif 000009
【図８】
2009179977.tif 000010
【図９】
2009179977.tif 000011